(57)【特許請求の範囲】
【請求項１】
苗を育成するための筒状の容器をなす植物育成用のポットにおいて、前記ポットの本体部に吊フックを設け、この吊フックをポット本体部の上縁より上方に立ち上げて形成した当吊フックの長手方向に沿って水のポットへの流下を案内する縦溝を形成させたことを特徴とする植物育成用のポット。
【請求項２】
前記吊フックを螺旋状に形成したことを特徴とする請求項１記載の植物育成用のポット。
【請求項３】
前記ポットの本体部に吊フックを着脱可能に取り付けたことを特徴とする請求項１記載の植物育成用のポット。
【請求項４】
前記ポットの本体部を２つの半割体によって形成し、この両半割体間を開閉可能に結合する結合部を設け、かつ、苗として育成すべき蔓を固定するための割穴を両半割体にわたって形成したことを特徴とする請求項１記載の植物育成用のポット。
【請求項５】
前記吊フックをポット本体部とともに２つの半割体によって形成し、両半割体間を開閉可能に結合する結合部を設けたことを特徴とする請求項１記載の植物育成用のポット。
【発明の詳細な説明】
【０００１】
【発明の属する技術分野】
本発明は、植物苗等の育成に適する植物育成用のポット及び植物育成装置に関する。
【０００２】
【従来の技術】
植物苗等の育成に使用する植物育成用の小径のポットは、苗を植え込んだ後、多数のポットを密接して平面的に並べ、また、多段式の棚を利用することによって育成スペースの有効利用を図りつつ苗を育成する（例えば、実開平５−８２２５０号公報）。
【０００３】
これに対し、蔓性苗の取扱いの簡易化とスペースの有効利用を目的として、本発明者は、先に特願平７−１０８９４３号によるポット利用の植物育成装置を提案した。同装置１０１は、図８に示すごとく、蔓固定穴を備えた植物育成用のポット１０２に吊フック１０３を形成し、この吊フック１０３を網目状に張った架線等による保持部材１０４に引掛けてポット１０２を宙吊り保持するものである。
【０００４】
上記提案に係る技術は、ポット１０２の蔓固定穴による蔓性苗の取扱いの問題を解決するとともに、宙吊り保持した植物育成用のポット１０２の上方と下方に設けた灌水手段１０５，１０６によって、苗１０７の上部および下部に直接的に育成液を散布供給することにより、スペース利用効率の高度化と苗の育成促進を図るものである。
【０００５】
【発明が解決しようとする課題】
しかし、ポットを保持部材に宙吊り配置した場合は、全ての個々のポットについて常に十分な灌水を行う必要があり、特に、苗が生育して葉が繁るとこの繁った葉が障害となることから、小径のポット内を十分に潤すために給水量の増加を余儀なくされていた。
【０００６】
本発明の目的は、育成スペースの有効利用と苗の育成促進を確保した上で、灌水効率を向上することにより給水量を必要最小限に抑えることにある。
【０００７】
【課題を解決するための手段】
上記課題を解決するために、苗を育成するための筒状の容器をなす植物育成用のポットにおいて、前記ポットの本体部に吊フックを設け、この吊フックをポット本体部の上縁より上方に立ち上げて形成することにより、ポットを構成した。
【０００８】
上記本体部に吊フックを設けたことから、金網やネット等を立設してなる網目を有する保持部材に対して上記吊フックを掛け止め、ポットを宙吊り状に保持することが可能となり、ポットを保持部材に沿って壁状に上下方向に配置することにより育成スペースの有効利用と苗の育成促進を確保することができる。また、上記吊フックを本体部上縁より上方に立ち上げて形成したことから、保持部材に沿って水を流下した場合に、水が吊フックを伝わって同ポットに導かれる。
【０００９】
したがって、供給すべき液を保持部材に対して散布した場合に、散布液はその網目を流下し、フックを介してポットまで導かれ、その他、保持部材の網目の間を通ってポットに直接的に到達する散布液が加わることから、灌水効率を向上することができ、育成スペースの有効利用と苗の育成促進を確保した上で、給水量を抑えることが可能となる。
【００１０】
前記吊フックを本体部の内方に向けて屈曲形成した場合は、その長手方向に沿って最短距離で水がポット本体部に到達する。
前記吊フックをポット本体部の内周面から立ち上げて形成した場合は、吊フックを流下する水がポット本体部の内周面側に導かれる。
前記吊フックの長手方向に沿って水の流下を案内する縦溝を形成した場合は、吊フックを流下する水がその縦溝に沿ってポット本体部に導かれる。
前記吊フックを螺旋状に形成した場合は、水の流下速度が抑えられるので、大流量の水を確実にポット本体部に導くことができる。
前記吊フックをポット本体部に対して着脱可能に取付けた場合は、必要に応じて吊フックによる宙吊り保持が可能となる。
前記ポット本体部を２つの半割体によって形成し、この両半割体間を開閉可能に結合する結合部を設け、かつ、育成すべき蔓を固定するための割穴を両半割体にわたって形成した場合は、苗の取扱いが容易となる上に、蔓性の苗の育成促進を確保することができる。
前記吊フックをポット本体部とともに２つの半割体によって形成し、両半割体間を開閉可能に結合する結合部を設けた場合は、苗の取扱い性を確保しつつ、吊フックの割部によって流下する水の案内作用をも確保することができる。
【００１１】
上記植物育成用のポットと、その吊フックを掛け止めるために立設した保持部材とからなり、この保持部材を網目状の傾斜部材として植物育成装置を構成したことから、上記保持部材に対して水を散布することにより、その液滴は、網目の間を通ってポットに直接的に到達する他、保持部材に到達した液滴はその網目に沿って流下し、吊フックを伝わってポットに到達する。
【００１２】
したがって、簡易な構成の植物育成装置によって灌水効率を向上することができるので、育成スペースの有効利用と苗の育成促進を確保した上で、給水量を抑えることが可能となる。
【００１３】
前記保持部材を挟んでポットを掛け止めた反対側に同保持部材に対して散水する灌水手段を設けた場合は、散布液が灌水手段から保持部材に直接的に供給され、この保持部材に掛け止めたフックを介して散布液がポットに供給されるので、ポット内の苗が生育して葉が繁った場合でも、葉による給水障害を受けることなくポットへの給水が確保される。
【００１４】
【発明の実施の形態】
図１は本発明の植物育成用のポットの構成例を示す斜視図である。
植物育成用のポット１は、２つの半割体２，２からなる。この半割体２，２は開閉自在な結合部を備え、その下端側が稍小径の筒状をなす。一方側の結合部はヒンジ３をなし、他側の結合部は割部４の上下端に両半割体２，２間に対向して形成した嵌合部５，６をなす。２つの半割体２，２は、その割部４を閉じて上下端の嵌合部５，６を嵌め合わせることにより結合固定される。
【００１５】
同ポット１の本体上縁１ａの上方まで立ち上がる吊フック７を外方に屈曲して形成する。この吊フック７は、同ポット１の割部４の位置で本体の半割体２，２とともに半割状をなす２つの半割フック７ａ，７ａからなる。上側の嵌合部５の下方に割穴８を、側面中段部にヒンジ３部を除く略全周に及ぶ鍔部９を、この鍔部９の下方の側面および下端に発根窓１０を、それぞれ形成する。鍔部９は保持部材の凹部にポットを宙吊り保持するためのものである。
【００１６】
図２は図１のポットの使用状態図である。
金網やネット等の網目を有する保持部材１１を壁状に立設し、この保持部材１１の網目は傾斜部材１２…によって形成し、この傾斜部材１２または網目の交差部１３に吊フック７を掛け止めることによってポット１を宙吊り状態に保持して使用する。上記吊フック７はポット１の側部に位置することから、ポット１は自重によってその側部を網目面に当接し、安定保持される。
【００１７】
この状態で、図示せぬ灌水手段によって散水を行うことにより、撒かれた水はポット１の上縁１ａの開口および側部の発根窓１０から直接的に供給されるとともに、保持部材１１に到達した水がその網目をなす傾斜部材１２伝わって矢印Ｗの方向に流下し、この傾斜部材１２または網目の交差部１３に掛け止められた吊フック７を伝わってポット１内に案内される。
【００１８】
この時、上記吊フック７の割部４が毛細管作用をなす細いスリットとして機能することから、その割部４に沿って速やかに、かつ、確実に水が案内され、ポット１の上縁１ａおよび側部に沿う割部４からポット１内に水が供給される。
【００１９】
このように、本発明の植物育成用のポットは、保持部材に到達した水を効率良くポット内に案内することができるので、ポットに到達することなく無駄に落下する散布液の割合を最小限に抑えて灌水効率を向上することができ、育成スペースの有効利用と苗の育成促進を確保した上で、給水量を抑えることが可能となる。また、ポットを振り子のように吊り下げた場合でも、ポットはその掛け止め位置の直下に吊り下げられることから、上方に張り出した吊フックの下でポットが受皿となり、流下する水を確実にポット内に受けることができる。
【００２０】
図３は縦溝付きの吊フックの構成例に係る側面図（ａ）とそのＢ−Ｂ線断面図（ｂ）および、その変形例についての同様の図である。
同図（ａ）のポット１の内周面１ｂから上縁１ａの上方まで吊フック２１を立ち上げて形成する。この吊フック２１は、ポット１の内側に長手方向に沿って吊フック２１の上部からポット１内に達する縦溝２３を形成する。縦溝２３は細いＶ字状をなし、吊フック２１を掛け止めた傾斜部材１２を流下する水を受けてポット１内に案内する。この場合、吊フック２１の中段部からポット１の外側方に外れ止めの突部２２を形成することも可能である。
【００２１】
同図（ｃ）の吊フック２４は、そのＤ−Ｄ線断面図（ｄ）に示す如く、両側にも縦溝２５，２５を備えることにより、傾斜部材１２から流下する液滴が少量の場合でも同液滴を縦溝２５，２５内に吸引し、散布液を効率良く案内することができる。
【００２２】
図４は横断溝付きの吊フックの構成例に係る側面図である。
ポット１の内周面１ｂから吊フック３１を立ち上げて形成し、その中段部の外側から内側まで斜に横切る横断溝３２を吊フック３１の少なくとも一方側の外周に沿って形成し、この横断溝３２の内側下端から長手方向に沿ってポット１内に達する縦溝３３を形成する。上記傾斜部材１２から吊フック３１に沿って流下する水は、上記横断溝３２によって内側の縦溝３３に案内され、確実にポット１内に案内される。
【００２３】
図５は螺旋形の吊フックの構成例に係る側面図である。
吊フック４１はその中段部４２を螺旋状に形成し、その下端に着脱可能な嵌合部４３を備え、この嵌合部４３と嵌合するピン１ｃとこのピン１ｃを支える座１ｄをポット１の内周面１ｂに形成する。
【００２４】
上記吊フック４１はその螺旋状の中段部４２によって水の流下速度を抑えることから、大流量の水を確実にポット本体部に導くことができる。また、吊フック４１をポット本体部１ｂに対して着脱可能に取付けることにより、必要に応じて吊フックによる宙吊り保持が可能となる。
【００２５】
図６は内向型の吊フックの構成例に係る側面図である。
吊フック５１をポットの内周面１ｂから立ち上げ、ポットの内側に向けて屈曲形成するとともに、その内側に長手方向に沿って縦溝５２を形成する。
【００２６】
【発明の実施の形態】
吊フック５１をポットの内側に向けて形成した場合は、縦溝５２を流れ保持部材１２からポット本体内部１ｂまで水を安定して導くことができる。
【００２７】
さらに、この場合は、半割形成した本体部のヒンジ位置に吊フックを半割形成することが可能となり、割部と割穴を吊フックの反対側に配置することにより、ポットを吊フックで保持部材に宙吊り保持したまま、苗の植込みや取出しの作業が可能となる。
【００２８】
図７は本発明の植物育成用のポットを用いた植物育成装置の構成例を示す要部断面図である。
植物育成装置６１は、上板を育苗床とする箱状台枠６２と、その少なくとも一つの側面に金網、ネット等の傾斜部材１２による網目を有する保持部材１１を張って箱状に形成し、その内部を給排水スペースとし、灌水手段６４および図示せぬ排水手段を設け、上記保持部材１１の外側からその網目にポット１…を掛け止め、宙吊り保持して構成する。灌水手段６４は、保持部材１１に面して散水口６５…を有する穴開きパイプ等によって形成する。
【００２９】
イチゴの苗を育成する場合を例に採ると、育苗床をなす箱状台枠６２の上にはイチゴの親株を置き、この親株から延びる蔓を各ポット１に導き、この蔓の先をポットに仕込んだ培地に埋める。この時、蔓がポットの割穴に固定されるので、安定した育苗が可能となる。
【００３０】
上記灌水手段６４は、図示せぬ供給源の切替えによって水や育苗用の養液の供給を受け、両側方の保持部材１１に対して液を散布するものである。この散布液Ｗは網目をなす傾斜部材１２…に沿って流下し、吊フック７を介してポット１に導かれる。また、保持部材１１の網目の間を通過した散布液Ｗは、ポット１および葉、根等の育成体に直接的に到達する。
【００３１】
このように、上記植物育成装置６１は、ポット１およびその育成体に対する直接的給水の他に、保持部材１１と吊フック７を介する給水がなされることから、散布液を効率良くポット１内に導くことができる。上記灌水手段６４を保持部材１１の外側方に設けた場合も同様である。
【００３２】
また、保持部材１１の内方に設けた灌水手段６４については、保持部材１１を挟んでポット１の反対側から同保持部材１１に散水することから、ポット内の苗が生育して葉が繁った場合にも、同灌水手段６４による散布液Ｗが保持部材１１に直接的に到達し、この保持部材１１に掛け止めたフック７を介して散布液Ｗがポット１に供給されるので、葉による給水障害を受けることなく、ポット１への給水が確保される。
【００３３】
この植物育成装置６１は前記各種の吊フックについて適用可能である。特に、内向型吊フックの場合は、半割本体部のヒンジ側に半割フックを形成し、その反対側に割部と割穴を配置することにより、保持部材にポットを宙吊り保持したまま、苗の植込みや取出しの作業が可能となる。
【００３４】
【発明の効果】
本発明による植物育成用のポットは、その本体部に吊フックを設けたことから、金網やネット等を立設してなる網目を有する保持部材に対して上記吊フックを掛け止め、ポットを宙吊り状に保持することが可能となり、ポットを保持部材に沿って壁状に上下方向に配置することにより育成スペースの有効利用と苗の育成促進を確保することができる。また、上記吊フックを本体部上縁より上方に立ち上げて形成したことから、保持部材に沿って水を流下した場合に、水が吊フックを伝わって同ポットに導かれる。
【００３５】
したがって、供給すべき液を保持部材に対して散布した場合に、散布液はその網目を流下し、フックを介してポットまで導かれ、その他、保持部材の網目の間を通ってポットに直接的に到達する散布液が加わることから、灌水効率を向上することができ、育成スペースの有効利用と苗の育成促進を確保した上で、給水量を抑えることが可能となる。
【００３６】
前記吊フックを本体部の内方に向けて屈曲形成した場合は、その長手方向に沿って最短距離で水がポット本体部に到達する。
前記吊フックをポット本体部の内周面から立ち上げて形成した場合は、吊フックを流下する水がポット本体部の内周面側に導かれる。
前記吊フックの長手方向に沿って水の流下を案内する縦溝を形成した場合は、吊フックを流下する水がその縦溝に沿ってポット本体部に導かれる。
前記吊フックを螺旋状に形成した場合は、水の流下速度が抑えられるので、大流量の水を確実にポット本体部に導くことができる。
前記ポットの本体部に吊フックを着脱可能に取付けた場合は、必要に応じて吊フックによる宙吊り保持が可能となる。
前記ポットの本体部を２つの半割体によって形成し、この両半割体間を開閉可能に結合する結合部を設け、かつ、苗として育成すべき蔓を固定するための割穴を両半割体にわたって形成した場合は、苗の取扱いが容易となる上に、蔓性の苗の育成促進を確保することができる。
前記吊フックをポットの本体部とともに２つの半割体によって形成し、両半割体間を開閉可能に結合する結合部を設けた場合は、苗の取扱い性を確保しつつ、吊フックの割部によって水の流下の案内作用をも確保することができる。
【００３７】
上記ポットと、その吊フックを掛け止めるために立設した保持部材とからなり、この保持部材を網目状の傾斜部材として植物育成装置を構成したことから、上記保持部材に対して水を散布することにより、その液滴は、ポットに直接的に到達する他、保持部材に到達したものはその網目を流下し、吊フックを伝わってポットに到達する。
【００３８】
したがって、簡易な構成の植物育成装置により、育成スペースの有効利用と苗の育成促進を確保した上で、灌水効率を向上することができ、給水量を最小限度に抑えることが可能となる。
【００３９】
前記保持部材を挟んでポットを掛け止めた反対側に同保持部材に対して散水する灌水手段を設けた場合は、散布液が灌水手段から保持部材に直接的に供給され、この保持部材に掛け止めたフックを介して散布液がポットに供給されるので、ポット内の苗が生育して葉が繁った場合でも、葉による給水障害を受けることなく、ポットへの給水が確保される。
【図面の簡単な説明】
【図１】本発明の植物育成用のポットの構成例を示す斜視図
【図２】図１のポットの使用状態図である。
【図３】縦溝付きの吊フックの構成例に係る側面図とその断面図
【図４】横断溝付きの吊フックの構成例に係る側面図
【図５】螺旋形の吊フックの構成例に係る側面図
【図６】内向型の吊フックの構成例に係る側面図
【図７】本発明の植物育成用のポットを用いた植物育成装置の構成例を示す要部断面図
【図８】従来の植物育成装置の構成例を示す斜視図
【符号の説明】
１    ポット
１ａ    上縁
１ｂ    内周面
１ｃ    ピン
１ｄ    座
２    半割体（本体部）
３    ヒンジ（結合部）
４    割部
５，６    嵌合部（結合部）
７    吊フック
７ａ    半割体
８    割穴
９    鍔部
１０    発根窓
１１    保持部材
１２    傾斜部材
１３    交差部
２１，２４    吊フック
２２    突部
２３，２５    縦溝
３１    吊フック
３２    横断溝
３３    縦溝
４１    吊フック
４２    中段部
４３    嵌合部
５１    吊フック
５２    縦溝
６１    植物育成装置
６２    箱状台枠
６４    灌水手段
６５    散水口
【図１】
0003774733.tif 000002
【図２】
0003774733.tif 000003
【図３】
0003774733.tif 000004
【図４】
0003774733.tif 000005
【図５】
0003774733.tif 000006
【図６】
0003774733.tif 000007
【図７】
0003774733.tif 000008
【図８】
0003774733.tif 000009